(57)【特許請求の範囲】
【請求項１】
第1の弾性率を有しかつ擬毛が植設される第1の弾性部と、
前記第1の弾性部に連結され、前記第1の弾性率より大きい第２の弾性率を有しかつ擬毛が植設される第２の弾性部と、
前記第２の弾性部に連結される部材であって、該部材の位置にある使用者の自毛または皮膚を保持する位置保持部と、
を備え、
着用状態において、頭頂部側から前記第１の弾性部、前記第２の弾性部、前記位置保持部の順に位置し、
着用状態において、前記位置保持部が使用者の顔の皮膚を頭頂部側へ引き上げることを特徴とするかつらベース。
【請求項２】
全体として帯状の前記第1の弾性部の両側に全体として帯状の前記第２の弾性部が連結され、
装着状態において、前記第1の弾性部が頭頂部及び両側頭部に位置し、前記第２の弾性部が両側頭部に位置することを特徴とする請求項１に記載のかつらベース。
【請求項３】
前記第1の弾性部が、弾性繊維による帯状または紐状の複数の部材から構成されていることを特徴とする請求項２に記載のかつらベース。
【請求項４】
前記第２の弾性部が、弾性を有する帯状の部材から構成されていることを特徴とする請求項２または３に記載のかつらベース。
【請求項５】
前記位置保持部が、かつら下地ネットまたは使用者の自毛と係合する係合部材を備えることを特徴とする請求項１から４の何れか1項に記載のかつらベース。
【請求項６】
着用状態において、前記第２の弾性部の位置に頭の周方向に伸縮する周方向弾性部を更に備えることを特徴とする請求項１から５の何れか1項に記載のかつらベース。
【請求項７】
前記周方向弾性部に擬毛を植設可能であることを特徴とする請求項６に記載のかつらベース。
【請求項８】
請求項１から７の何れか１項に記載のかつらベースに擬毛を植設されたかつら。
【発明の詳細な説明】
【技術分野】
【０００１】
本発明は、かつらベース及びかつらベースに擬毛を植設したかつらに関する。
【背景技術】
【０００２】
かつらベースに人毛や合成繊維で作った人工毛からなる擬毛を植設したかつらが普及しており、近年は女性が利用する機会も増えている。その場合、かつらにより髪が若返ると、逆に、顔の皮膚のたるみが目立って不自然に見えることもあり得る。
これに対処するため、かつらのキャップネットに取り付ける伸縮体であって、使用者のこめかみ部分の自毛を嵌合させるくし状固定具を有しているものが提案されている（例えば、特許文献１参照）。また、前後の非伸縮ネットが伸縮性を有するゴム等で連結されたかつらベースを有するかつらも提案されている（例えば、特許文献２参照）。
【先行技術文献】
【特許文献】
【０００３】
【特許文献１】実用新案登録３１６３２４０
【特許文献２】特許５４４９６０９
【発明の概要】
【発明が解決しようとする課題】
【０００４】
特許文献１に記載の伸縮体により、顔の皮膚を引き上げることができる。しかし、キャップネットに取り付けるものなので、かつらを装着するときの取り扱いが煩雑になり、かつらを着用状態における美観に問題が生じる虞がある。また、伸縮体は単一のゴムなので、弾性率が高いと、皮膚を強く引っ張りすぎて使用者に痛みを与え、逆に弾性率が低いと、皮膚を十分に引き上げることができないため、顔の皮膚のたるみやしわを矯正する機能が十分に果たせないといった問題が生じる。
特許文献２に記載のかつらでは、ゴム等の弾性力により顔の皮膚を引き上げることができる。しかし、かつらと顔の皮膚とを係合させる特別な手段を有さず、伸縮させる機能は単一のゴム等によるものなので、顔の皮膚、特にこめかみや目尻の近傍の皮膚を引き上げることが十分にできず、顔の皮膚のたるみやしわを矯正する機能が十分に果たせないといった問題が生じる。
【０００５】
本発明の目的は、上記の課題を解決するものであり、かつら装着時の取り扱いが容易であって、顔の皮膚のたるみやしわの十分な矯正機能を有し、かつ美観に優れたかつらベース及びかつらを提供することである。  
【課題を解決するための手段】
【０００６】
上記の課題を解決するため、本発明の１つの実施態様に係るかつらベースは、
第1の弾性率を有しかつ擬毛を植設可能な第1の弾性部と、
前記第1の弾性部に連結され、前記第1の弾性率と異なる第２の弾性率を有しかつ擬毛を植設可能な第２の弾性部と、
前記第２の弾性部に連結され、使用者の顔の皮膚を保持するための位置保持部と、
を備え、
着用状態において、頭頂部側から前記第１の弾性部、前記第２の弾性部、前記位置保持部の順に位置する。
【０００７】
本発明の１つの実施態様に係るかつらは、上記のかつらベースに擬毛を植設されている。
【発明の効果】
【０００８】
本発明の実施態様においては、かつら装着時の取り扱いが容易であって、顔の皮膚のたるみやしわの十分な矯正機能を有し、かつ美観に優れたかつらベース及びかつらを提供することができる。
【図面の簡単な説明】
【０００９】
【図１】本発明の１つの実施形態に係るかつらの構造を示す模式的な側面図及び端面図である。
【図２】本発明の１つの実施形態に係るかつらを装着する場合の態様を示す模式的な端面図である。
【図３】本発明のその他の実施形態に係るかつらの構造を示す模式的な側面図及び端面図である。
【図４】本発明のその他の実施形態に係るかつらを装着する場合の態様を示す模式的な端面図である。
【発明を実施するための形態】
【００１０】
本発明の実施態様１に係るかつらベースでは、
第1の弾性率を有しかつ擬毛を植設可能な第1の弾性部と、前記第1の弾性部に連結され、前記第1の弾性率と異なる第２の弾性率を有しかつ擬毛を植設可能な第２の弾性部と、前記第２の弾性部に連結され、使用者の顔の皮膚を保持するための位置保持部と、を備え、着用状態において、頭頂部側から前記第１の弾性部、前記第２の弾性部、前記位置保持部の順に位置する。
【００１１】
ここで、第１の弾性部及び第２の弾性部は、着用状態において頭の周方向全域に配置される場合もあり得るし、周方向の一部の領域（例えば、両側頭部）に配置される場合もあり得る。また、第１の弾性部及び第２の弾性部の弾性率は、どちらかが高い場合もあり得る。
なお、以下の記載においては、使用者がかつらベース（かつら）をかぶって位置を調整してセットするときを「装着時」と称し、かつらベース（かつら）をセットした後、使用者がかつらを使用している状態を「着用状態」と称する。
【００１２】
本実施態様では、弾性率の異なる弾性部を連結させることによって、十分な伸縮性と十分な弾性力が得られるので、使用者が快適に使用しながら、顔の皮膚のたるみやしわの十分な矯正機能を有する。また、位置保持部が十分な伸縮性を有する弾性部に連結されているので、顔の皮膚を保持するための位置保持部のハンドリングが容易であり、かつら自体がたるみやしわの矯正機能を有するので、かつら装着時の取り扱いが容易である。また、弾性部にも擬毛が植設されているので、美観にも優れたかつらを提供可能なかつらベースを実現できる。
【００１３】
本発明の実施態様２に係るかつらベースでは、上記の実施態様１において、
前記第２の弾性部の弾性率が前記第1の弾性部の弾性率よりも高くなっている。
【００１４】
本実施態様では、着用状態において下側に位置し、位置保持部にも連結された第２の弾性部の弾性率が第1の弾性部の弾性率よりも高くなっているので、かつらを装着した後、常に顔の皮膚を効果的に引き上げることができる。
【００１５】
本発明の実施態様３に係るかつらでは、上記の実施態様１または２において、
全体として帯状の前記第1の弾性部の両側に全体として帯状の前記第２の弾性部が連結され、
着用状態において、前記第1の弾性部が頭頂部及び両側頭部に位置し、前記第２の弾性部が両側頭部に位置する。
【００１６】
本実施態様では、着用状態において、弾性部が両側頭部に位置しているので、例えば、耳の前、こめかみ近傍の皮膚を十分に引き上げることができ、目尻のしわやほほのたるみ等を効果的に矯正することができる。
【００１７】
本発明の実施態様４に係るかつらベースでは、上記の実施態様３において、
前記第1の弾性部が、弾性繊維による帯状または紐状の複数の部材から構成されている。
【００１８】
ここで、「弾性繊維」としては、ポリウレタンやポリエステルをはじめとして、ナイロン、アクリル、アセテート、ウール等の繊維を例示することができるが、これらに限られるものではない。弾性繊維による帯状または紐状の部材としては、弾性繊維による編物や織物を挙げることができ、擬毛を通す空間があいたメッシュ状のものを用いることもできる。
本実施態様の第1の弾性部は、複数の帯状または紐状の部材によって、全体として帯状の形状に構成されている
【００１９】
本実施態様では、第1の弾性部が、弾性繊維による帯状または紐状の複数の部材から構成されているので、十分な伸縮性と、弾性力を発揮することができる。
【００２０】
本発明の実施態様５に係るかつらベースでは、上記の実施態様３または４において、
前記第２の弾性部が、弾性を有する帯状の部材から構成されている。
【００２１】
ここで、「弾性を有する帯状の部材」は、弾性を有する細長いシート状の部材であり、弾性繊維による編物や織物もあり得るし、弾性を有する樹脂材料による成形品もあり得る。また、擬毛を通す空間があいたメッシュ状のものを用いることもできる。
【００２２】
本実施態様では、第２の弾性部が、弾性を有する帯状の部材から構成されているので、十分な伸縮性と弾性力を発揮することができる。
【００２３】
本発明の実施態様６に係るかつらベースでは、上記の実施態様１から５の何れかにおいて、
前記位置保持部が、かつら下地ネットまたは使用者の自毛と係合する係合部材を備える。
【００２４】
本実施形態では、使用者の皮膚に密着したかつら下地ネットに係合させるか、または使用者の自毛自体に係合させることによって、確実に、位置保持部で使用者の顔の皮膚を保持することができる。
【００２５】
本発明の実施態様７に係るかつらベースでは、上記の実施態様１から６の何れかにおいて、
着用状態において頭の周方向に伸縮する周方向弾性部を更に備える。
【００２６】
本実施形態において、頭の周方向に伸縮する周方向弾性部によって、使用者の頭にかつらを確実に固定することができる。なお、周方向弾性部によって使用者の顔の皮膚を保持することにより、位置保持部の機能を果たす場合もあり得る。
【００２７】
本発明の実施態様８に係るかつらベースでは、上記の実施態様７において、
前記周方向弾性部に擬毛を植設可能である。
【００２８】
本実施形態では、周方向弾性部に擬毛を植設可能なので、美観にも優れたかつらを提供できる。
【００２９】
本発明の実施態様９に係るかつらベースでは、上記の実施態様１から８のかつらベースに擬毛を植設されている。
【００３０】
本実施形態では、かつら装着時の取り扱いが容易であって、顔の皮膚のたるみやしわの十分な矯正機能を有し、かつ美観に優れたかつらを提供することができる。
次に、本発明の実施態様のかつらについて、以下に図面を用いながら詳細に説明する。
【００３１】
(１つの実施形態に係るかつらベースの構造の説明）
はじめに、図１を用いて、本発明の１つの実施形態に係るかつらベースの構造を説明する。図１（ａ）は、本発明の１つの実施形態に係るかつらの構造を示す模式的な側面図であり、図１（ｂ）は、矢印Ａ−Ａから見た端面図である。
【００３２】
図１において、本実施形態に係るかつらベース２は、第１の弾性率を有しかつ擬毛を植設可能な第１の弾性部４（図１（ａ）で、４本の太い縦の線で示されている）と、第１の弾性部４に連結され、第１の弾性率と異なる第２の弾性率を有しかつ擬毛を植設可能な第２の弾性部６と、第２の弾性部６に連結され、使用者の顔の皮膚を保持するための位置保持部８と、を備えている。かつらベース２に擬毛を植設したかつらの着用状態においては、使用者の頭頂部側から、第１の弾性部４、第２の弾性部６、位置保持部８の順に位置するようになっている。なお、以下の説明においては、着用状態における位置（例えば、上側、下側、前側、後ろ側）を用いて説明する。
本実施態形態に係るかつらベース２では、下側に位置する第２の弾性部６の弾性率が、頭頂部側に位置する第1の弾性部４の弾性率よりも高くなっている。
【００３３】
図１（ａ）の側面図に示すように、本実施形態に係るかつらベース２では、全体として帯状の第1の弾性部４の両端部（図１（ａ）では片側の端部だけが見えている）に全体として帯状の第２の弾性部６が連結され、着用状態において、第1の弾性部４が頭頂部及び両側頭部に位置し、第２の弾性部６が両側頭部に位置する。また、着用状態において、頭の周方向に伸縮する周方向弾性部１０を更に備える。
【００３４】
図１（ａ）の側面図において、全体として帯状の第1の弾性部４の前後に、擬毛を植設可能な紐状部材で構成されたメッシュ部２２が配置されている。更にその前側には、擬毛を植設可能なシート状部材で構成された面部２４が配置されている。メッシュ部２２を構成する擬毛を植設可能な紐状部材や、面部２４を構成する擬毛を植設可能なシート状部材については、擬毛を通す空間があいたメッシュ状のものを用いることができる。なお、第１の弾性部４、第２の弾性部６、メッシュ部２２及び面部２４に擬毛を植設する態様については、追って詳細に述べる。
図１に示す実施形態は一例であり、例えば、第１の弾性部４及び第２の弾性部６以外の部分が、全てメッシュ部２２から構成されている場合もあり得るし、逆に全て面部２４で構成されている場合もあり得るし、用途に応じて、メッシュ部２２及び面部２４を、任意の位置に任意の比率で配置することもできる。
【００３５】
第1の弾性部４について、更に詳細に述べれば、弾性繊維による帯状の４本の部材１２から構成されている。なお、帯状の部材１２の幅が細い場合には、紐状と称することもできるので、以下においては、「弾性繊維による帯状または紐状の部材１２」と称する。
ここで、「弾性繊維」としては、ポリウレタンやポリエステルをはじめとして、ナイロン、アクリル、アセテート、ウール等の繊維を例示することができるが、これらに限られるものではない。弾性繊維による帯状または紐状の部材１２としては、弾性繊維による編物や織物を挙げることができ、擬毛を通す空間があいたメッシュ状のものを用いることもできる。
また、第1の弾性部４を構成する弾性繊維による帯状または紐状の部材１２の本数は、４本に限られるものではなく、必要な寸法、必要な弾性率、弾性繊維の種類等に応じて、任意の本数の弾性繊維による帯状または紐状の部材１２を用いることができる。本実施形態に係る第1の弾性部４は、複数の帯状または紐状の部材１２によって、全体として帯状の形状に構成されている
【００３６】
以上のように、本実施形態では、第1の弾性部４が、弾性繊維による帯状または紐状の複数の部材から構成されているので、十分な伸縮性と、弾性力を発揮することができる。
【００３７】
第２の弾性部６について、更に詳細に述べれば、弾性を有する帯状の部材１４から構成されている。ここで、弾性を有する帯状の部材１４は、弾性を有する細長いシート状の部材であり、弾性繊維による編物や織物もあり得るし、弾性を有する樹脂材料による成形品もあり得る。また、擬毛を通す空間があいたメッシュ状のものを用いることもできる。
【００３８】
以上のように、本実施形態では、第２の弾性部６が、弾性を有する帯状の部材から構成されているので、十分な伸縮性と弾性力を発揮することができる。
【００３９】
次に、第１の弾性部４、第２の弾性部６、メッシュ部２２及び面部２４において、擬毛を植設する態様について詳細に述べれば、ネットのメッシュの開口に擬毛を通して、メッシュの枠部材（フィラメント）に結びつけて植設することができる。つまり、擬毛をメッシュの枠部材（フィラメント）に捲回して結着固定することで、擬毛を植設できる。結毛方法に関する更に詳細な説明は省略するが、本実施形態では、既知の任意の結毛方法を用いることができる。  
また、結毛による擬毛の植設だけでなく、合成樹脂を加工した人工皮膚等のシート状の部材や合成樹脂製の帯状または紐状の部材を用いて、コーティング剤で擬毛を接着して植設することもできる。本実施形態では、既知のその他の任意の擬毛の植設方法を採用することができる。なお、１つの植設箇所に１本の擬毛が植設されている場合もあり得るし、１つの植設箇所に２本以上の擬毛が植設されている場合もあり得る。
【００４０】
次に、位置保持部８について、更に詳細に述べれば、図１（ｂ）に示すように、本実施形態に係る位置保持部８は、かつら下地ネットまたは使用者の自毛と係合する係合部材８ａを備えている。更に詳細に述べれば、係合部材８ａは弾性を有する爪部を有しており、この爪部を用いて、かつら下地ネットの下端部や使用者の自毛を挟み込んで係合することができる。
【００４１】
ここで、本実施形態に係るかつらベース２に擬毛が植設されたかつら２０を着用した状態の一例を、図２に示す。図２では、各部材を明確に示すため、かつらベース２（かつら２０）、かつら下地ネット３０、使用者の頭部の間にクリアランスがあるように示しているが、実際には多くの領域で互いに接触した状態になっている。
図２（ａ）は、使用者がかつら下地ネット３０を用いた場合であって、位置保持部８の係合部材８ａの爪部にかつら下地ネット３０の下端部を挟み込んで係合した場合を示す。
この場合、かつら下地ネット３０の下端部に備えられた弾性部材により、かつら下地ネット３０の下端部と、使用者の皮膚とが固定されている。よって、位置保持部８の係合部材８ａとかつら下地ネット３０の下端部とが係合すると、位置保持部８により使用者の顔の皮膚を保持することができる。これにより、第1の弾性部４及び第２の弾性部６の弾性力、特に下側に位置するより弾性率が高い第２の弾性部６の弾性力によって、皮膚を引き上げて、顔の皮膚のたるみやしわを矯正することができる。
【００４２】
図２（ｂ）は、位置保持部８の係合部材８ａの爪部に、使用者の自毛４０を挟み込んで係合した場合を示す。なお、図２（ｂ）には、かつら下地ネットが示されていないが、使用者がかつら下地ネットを着用した状態で、係合部材８ａの爪部に自毛４０を挟み込んで係合することもあり得る。位置保持部８が両側頭部の耳の位置近傍に配置されるので、例えば、係合部材８ａの爪部に耳の前辺りの自毛４０を挟み込んで係合することによって、位置保持部８により使用者の顔の皮膚を保持することができる。これにより図２（ａ）の場合と同様に、第１の弾性部４及び第２の弾性部６の弾性力、特に下側に位置するより弾性率が高い第２の弾性部６の弾性力によって、皮膚を引き上げて、顔の皮膚のたるみやしわを矯正することができる。
【００４３】
特に、本実施形態では、使用者の皮膚に密着したかつら下地ネットに係合させるか、または使用者の自毛自体に係合させることによって、確実に、位置保持部８で使用者の顔の皮膚を保持することができる。
図２（ａ）及び（ｂ）の両方の実施形態において、第１の弾性部４及び第２の弾性部６が弾性を有しており、特に弾性率の低い第１の弾性部４が大きく伸びるので、かつら２０をかぶってセットするとき、位置保持部８を下側に引いて、かつら下地ネット３０の下端部や、使用者の自毛４０に容易に係合させることができる。つまり、顔の皮膚を保持するための位置保持部８のハンドリングが容易である。
【００４４】
一方、かつら２０をかぶった後の着用状態においては、第１の弾性部４及び第２の弾性部６は、使用者の頭部またはかつら下地ネット３０に接触しているので、静摩擦力によって位置が保持されている。特に、第１の弾性部４は、使用者の頭頂部及び両側頭部に接触しているので、静摩擦力による位置の保持効果が大きい。よって、かつら２０をかぶってセットするときには、弾性率の低い第１の弾性部４が大きく伸びて、位置保持部８をかつら下地ネット３０の下端部や使用者の自毛４０に係合させる作業を容易にしているが、セット後は、第１の弾性部４は安定的に位置が保持される。
【００４５】
従って、位置保持部８により保持された顔の皮膚は、特に下側に位置しかつ位置保持部８に直接連結された第２の弾性部６によって引き上げられる。また、第２の弾性部６の弾性率が第１の弾性部４の弾性率よりも大きいので、より大きな弾性力で効果的に顔の皮膚を引き上げることができる。
上記のように、かつら２０を装着した後の着用状態においては、弾性部４、６、特に、使用者の頭頂部及び両側頭部に接触した第１の弾性部４は、摩擦によって位置が保持されているが、顔の皮膚等を大きく動かすような場合には、静摩擦力に打ち勝って、上側の伸縮性に富む第1の弾性部が伸びるので、使用者に痛みや不快感を与える虞が少ない。
【００４６】
以上のように、本実施形態では、弾性率の異なる第１の弾性部４及び第２の弾性部６を連結させることによって、十分な伸縮性と十分な弾性力が得られるので、使用者が快適使用しながら、顔の皮膚のたるみやしわの十分な矯正機能を有する。また、位置保持部８が十分な伸縮性を有する第１の弾性部４及び第２の弾性部６に連結されているので、顔の皮膚を保持するための位置保持部８のハンドリングが容易であり、かつら２０自体がたるみやしわの矯正機能を有するので、かつら装着時の取り扱いが容易である。また、第１の弾性部４及び第２の弾性部６にも擬毛が植設されているので、美観にも優れたかつら２０及びかつらベース２を実現できる。
【００４７】
特に、本実施形態では、着用状態において下側に位置し、位置保持部８にも直接連結された第２の弾性部６の弾性率が第1の弾性部４の弾性率よりも高くなっているので、かつら２０を装着した後、常に、顔の皮膚を効果的に引き上げることができる。
更に、本実施形態では、弾性部４、６、特に第２の弾性部６が、使用者の両側頭部に位置しているので、例えば、耳の前、こめかみ近傍の皮膚を十分に引き上げることができ、目尻のしわやほほのたるみ等を効果的に矯正することができる。
【００４８】
上記のように、本実施形態に係るかつらベース２は、頭の周方向に伸縮する周方向弾性部１０を備えている。周方向弾性部１０は、着用時に両側頭部に位置し、前後でメッシュ部２２及び面部２４と結合している。これにより、メッシュ部２２、周方向弾性部１０及び面部２４によって、使用者の頭の周囲を囲む環状部分が形成され、周方向弾性部１０の弾性力でしっかり頭部を固定することができる。また、第１の弾性部４及び第２の弾性部６の端部とも縫合されている。
なお、メッシュ部２２、周方向弾性部１０及び面部２４による環状部分の所定の場所に、長さの調整手段を設けて、使用者の頭の大きさに合わせて調整可能にすることもできる。
【００４９】
また、周方向弾性部１０に擬毛を植設可能である。この周方向弾性部１０としては、ポリウレタン、ポリエステル、ナイロン等の弾性繊維による編物または織物を例示できる。ただし、これに限られるものではなく、弾性を有する樹脂材料（ゴムやエラストマを含む）による成形品もあり得る。なお、周方向弾性部１０は、所定の弾性率が得られるのであれば、擬毛を通す空間があいたメッシュ状のものを用いることができる。上記と同様に、擬毛をメッシュの枠部材（フィラメント）に捲回して結着固定することで、擬毛を植設できる。
【００５０】
以上のように、本実施形態では、頭の周方向に伸縮する周方向弾性部１０によって、使用者の頭にかつらベース２（かつら２０）を確実に固定することができる。
また、本実施形態では、周方向弾性部に擬毛を植設可能なので、美観にも優れたかつら及びかつらベースを提供できる。
なお、周方向弾性部１０によって使用者の顔の皮膚を保持することにより、位置保持部８の機能を果たすこともあり得る。これについては、図３及び図４を用いて追って説明する。
【００５１】
(その他の実施形態に係るかつらベースの構造の説明）
次に、図３を用いて、本発明のその他の実施形態に係るかつらベースの構造の説明を行う。ここで、図３（ａ）は、本発明のその他の実施形態に係るかつらベースの構造を示す模式的な側面図であり、図３（ｂ）は、矢印Ｂ−Ｂから見た端面図である。
【００５２】
図３において、本実施形態に係るかつらベース２’は、第１の弾性率を有しかつ擬毛を植設可能な第１の弾性部４’と、第１の弾性部４’に連結され、第１の弾性率と異なる第２の弾性率を有しかつ擬毛を植設可能な第２の弾性部６’と、第２の弾性部６’に連結され、使用者の顔の皮膚を保持するための位置保持部８’と、を備えている。本実施形態では、第１の弾性部４’は、帯状ではなく、着用状態において、使用者の頭頂部及び側頭部全体を覆うようになっている。また、第２の弾性部６’は、着用状態において、使用者の頭の周囲を覆う環状の形状を有している。また、位置保持部８’も、着用状態において、使用者の頭の周囲を覆う環状の形状を有している。
本実施態形態においても、下側に位置する第２の弾性部６の弾性率が、頭頂部側に位置する第1の弾性部４の弾性率よりも高くなっている。
【００５３】
第１の弾性部４’、第２の弾性部６’及び位置保持部８を構成する部材としては、例えば、擬毛を通す空間があいたメッシュ状のものを用いることもできる。必要な弾性率に応じて、メッシュの大きさやピッチを任意に定めることができる。なお、擬毛を植設可能であって、所定の弾性率を有するものであれば、上記の物を含め、その他の任意の材料を用いることができる。
図３（ｂ）に示すように、かつらベース２’を着用した状態では、使用者の頭頂部側から、第１の弾性部４、第２の弾性部６、位置保持部８’の順に位置するようになっている。なお、本実施形態では、位置保持部８は、頭の周方向で保持するので、周方向弾性部の機能も有しており、別途、周方向弾性部を備える必要はない。
【００５４】
ここで、本実施形態に係るかつらベース２’に擬毛が植設されたかつら２０’を装着した例を図４に示す。なお、図４では、各部材を明確に示すため、かつらベース２’（かつら２０’）及び使用者の頭部の間にクリアランスがあるように示しているが、実際には多くの領域で互いに接触した状態になっている。
図４に示すように、位置保持部８’によって、使用者の顔の皮膚を確実に保持することができる。これにより、第1の弾性部４’及び第２の弾性部６’の弾性力、特に下側に位置するより弾性率が高い第２の弾性部６’の弾性力によって、皮膚を引き上げて、顔の皮膚のたるみやしわを矯正することができる。
【００５５】
位置保持部８’の頭に接する面には、摩擦面を有することができる。例えば、シリコーンゴム層を設けることによって摩擦面を形成することができるし、その他、ウレタンゴム、加硫ゴムをはじめとする、ゴム材料またはエラストマ材料からなる層を摩擦面に設けることによって、摩擦面を形成することもできる。位置保持部８’の頭に接する面を凹凸面にすることによって、摩擦面を有することもできる。これにより、着用状態において、顔の皮膚を確実に保持することができる。
【００５６】
以上のように、本実施形態においても、弾性率の異なる第１の弾性部４’及び第２の弾性部６’を連結させることによって、十分な伸縮性と十分な弾性力が得られるので、使用者が快適使用しながら、顔の皮膚のたるみやしわの十分な矯正機能を有する。特に、本実施形態では、着用状態において下側に位置し、位置保持部８’にも直接連結された第２の弾性部６’の弾性率が第1の弾性部４’の弾性率よりも高くなっているので、着用状態において、常に、顔の皮膚を効果的に引き上げることができる。
更に、本実施形態では、側頭部だけでなく、頭の周方向において全体的に、顔の皮膚を引き上げることができるので、皮膚のたるみやしわを全体的に矯正することができる。
また、かつら２０自体がたるみやしわの矯正機能を有するので、かつら装着時の取り扱いが容易である。また、第１の弾性部４’及び第２の弾性部６’にも擬毛が植設されているので、美観にも優れたかつら２０’及びかつらベース２’を実現できる。
特に、かつら２０’（かつらベース２’）をかぶるだけで、位置保持部８’をセット可能なので、顔の皮膚を保持するための位置保持部８のハンドリングが容易である。
【００５７】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００５８】
２、２’  かつらベース      
４、４’  第１の弾性部
６、６’  第２の弾性部
８、８’  位置保持部
８ａ    係合部材
１２    弾性繊維による帯状または紐状の部材
１４    弾性を有する帯状の部材
２０    かつら
２２    メッシュ部
２４    面部
３０    かつら下地ネット
４０    自毛
【要約】
【課題】  かつら装着時の取り扱いが容易であって、顔の皮膚のたるみやしわの十分な矯正機能を有し、かつ美観に優れたかつらベース及びかつらを提供する。  
【解決手段】  第１の弾性率を有しかつ擬毛を植設可能な第1の弾性部４と、第1の弾性部４に連結され、第1の弾性率と異なる第２の弾性率を有しかつ擬毛を植設可能な第２の弾性部６と、第２の弾性部６に連結され、使用者の顔の皮膚を保持するための位置保持部８と、を備え、着用状態において、頭頂部側から第１の弾性部４、第２の弾性部６、位置保持部８の順に位置するかつらベース２、及びこのかつらベース２に擬毛を植設されたかつら２０を提供する。
【選択図】  図１【図１】
0005873204.tif 000002
【図２】
0005873204.tif 000003
【図３】
0005873204.tif 000004
【図４】
0005873204.tif 000005